【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
複数の色成分の何れかに対応したカラーフィルタが形成され、奇数行に対して偶数行がずれた位置にデルタ配列された複数の表示画素と、行方向に延伸配設され前記各表示画素に接続された複数の走査線と、前記各走査線と交差するように配設された複数の信号線と、を有する表示パネルと、
当該表示パネルの表示モードを、前記表示パネルの行数よりも少ない行数の第１の画像データを用いた画像を当該表示パネルに表示させる第１の表示モードに設定する設定手段と、
前記設定手段により前記表示モードが第１の表示モードに設定された場合に、１水平期間内で、前記表示パネルの行数の前記第１の画像データの行数に対する比率に対応する所定数の互いに隣接する前記走査線に走査信号電圧を順次印加して、１水平期間内で前記所定数の行の前記表示画素を順次選択状態に設定する走査信号電圧印加手段と、
前記設定手段により前記表示モードが第１の表示モードに設定された場合に、前記表示パネルの行数よりも少ない行数の前記第１の画像データが入力され、該画像データに基づく表示信号電圧を、前記信号線を介して前記選択状態に設定された前記所定数の行の前記各表示画素に印加して、前記各表示画素を表示状態とする表示信号印加手段と、
を具備し、
前記表示信号電圧印加手段は、
前記第１の画像データを行毎に取り込む出力データラッチブロックと、
奇数行の前記表示画素と偶数行の前記表示画素の何れか一方に前記出力データラッチブロックによって取り込まれた前記第１の画像データをそのまま前記表示画素がそれぞれ接続された前記信号線を介して出力するとともに、奇数行の前記表示画素と偶数行の前記表示画素の何れか他方に前記出力データラッチブロックによって取り込まれた前記第１の画像データにおいて行方向に隣接する２つの同色の表示画素に対応した前記第１の画像データの平均値に相当する第２の画像データを前記２つの同色の表示画素の間の位置に対応した表示画素に接続された前記信号線を介して出力する出力データ変換ブロックと、
前記出力データ変換ブロックから出力された前記第１の画像データ及び第２の画像データに基づく表示信号電圧を、前記信号線を介して前記選択状態に設定された表示画素に印加するデジタルアナログ変換ブロックと、
を有することを特徴とする表示装置。
【請求項２】
前記表示信号電圧印加手段に入力される前記第１の画像データの列数が前記表示パネルを構成する表示画素の列数よりも少ない場合に、前記第１の画像データの各画素に対応するデータを行方向にコピーして、前記表示パネルを構成する表示画素の列数まで前記第１の画像データの列数を拡大する拡大手段をさらに具備することを特徴とする請求項１に記載の表示装置。
【請求項３】
前記設定手段は、前記表示装置の表示モードをさらに、前記第１の表示モードと異なる、
前記表示パネルと同じ行数の第３の画像データを用いた画像を表示させる第２の表示モードに設定し、
前記設定手段により前記表示モードが前記第２の表示モードに設定された場合に、前記走査信号電圧印加手段は、１水平期間内で１つの前記走査線に走査信号電圧を印加して、１水平期間内で１つの行の前記表示画素を選択状態に設定し、
前記設定手段により前記表示モードが前記第２の表示モードに設定された場合に、前記表示信号印加手段には、前記表示パネルが有する表示画素の行数と同じ行数の前記第２の画像データが入力され、前記出力データ変換ブロックは、前記出力データラッチブロックによって取り込まれた前記第３の画像データをそのまま前記表示画素がそれぞれ接続された信号線を介して出力することを特徴とする請求項１又は２に記載の表示装置。
【請求項４】
行方向に延伸配設された複数の走査線と、前記各走査線と交差するように延伸配設された複数の信号線と、前記走査線と前記信号線との各交点に対応した位置に配置され複数の色成分の何れかに対応したカラーフィルタが形成されてなる複数の表示画素と、を有し、前記複数の表示画素が奇数行の前記表示画素に対して偶数行の前記表示画素がずれた位置にデルタ配列された表示パネルを備えた表示装置を駆動するための表示駆動方法であって、
前記表示装置の表示モードを、前記表示パネルの行数よりも少ない行数の第１の画像データを用いた画像を前記表示パネルに表示させる第１の表示モードに設定し、
１水平期間内で前記表示パネルの行数の前記第１の画像データの行数に対する比率に対応する数の前記走査線に走査信号電圧を順次印加して、１水平期間内で、の前記表示画素を選択状態に設定し、
前記表示パネルが有する表示画素の行数よりも少ない行数の前記第１の画像データを行毎に取り込み、
前記取り込まれた前記第１の画像データを、奇数行の前記表示画素にはそのまま出力し、偶数行の前記表示画素には前記取り込まれた前記第１の画像データにおいて隣接する同色の画像データの平均値に相当する第２の画像データを出力し、
前記出力された画像データに基づく表示信号電圧を、前記信号線を介して前記選択状態に設定された表示画素に印加する、
ことを特徴とする表示駆動方法。
【請求項５】
表示画素がデルタ配列されたカラー表示パネルにおける互いに隣接する２行分の表示画素を１行分のカラー画像データに基づいて表示する表示駆動方法であって、
前記１行分のカラー画像データを奇数行または偶数行の何れか一方の行の表示画素に対応させたカラー画像データとして用いる場合には、前記カラー画像データに対応した階調輝度を表示画素に表示させ、
前記１行分のカラー画像データを奇数行または偶数行の何れか他方の行の表示画素に対応させたカラー画像データとして用いる場合には、前記１行分のカラー画像データのうちの互いに等しい色成分に対応したカラー画像データにおける互いに隣接した２つのカラー画像データの平均値に対応した階調輝度を表示画素に表示させることを特徴とする表示駆動方法。
【請求項６】
前記他方の行の表示画素に表示する階調輝度を、該表示画素と等しい色成分に対応した前記一方の行における表示画素のうち該表示画素を挟むように最も近接して配置された２つの表示画素に表示される階調輝度に対応したカラー画像データの平均値に対応するように設定することを特徴とする請求項５に記載の表示駆動方法。
【請求項７】
表示画素がデルタ配列されたカラー表示パネルにおける互いに隣接する２行分の表示画素に対して１行分のカラー画像データに基づいて表示信号電圧を出力する表示駆動方法であって、
前記１行分のカラー画像データを奇数行または偶数行の何れか一方の行の表示画素に対応させたカラー画像データとして用いる場合には、前記カラー画像データに対応した表示信号電圧を表示画素に供給し、
前記１行分のカラー画像データを奇数行または偶数行の何れか他方の行の表示画素に対応させたカラー画像データとして用いる場合には、前記１行分のカラー画像データのうちの互いに等しい色成分に対応したカラー画像データにおける互いに隣接した２つのカラー画像データの平均値に対応した表示信号電圧を表示画素に供給することを特徴とする表示駆動方法。
【請求項８】
前記他方の行の表示画素に供給する表示信号電圧を、該表示画素と等しい色成分に対応した前記一方の行における表示画素のうち該表示画素を挟むように最も近接して配置された２つの表示画素に供給される表示信号電圧に対応したカラー画像データの平均値に対応するように設定することを特徴とする請求項７に記載の表示駆動方法。
【手続補正２】
【補正対象書類名】明細書
【補正対象項目名】０００７
【補正方法】変更
【補正の内容】
【０００７】
上記の目的を達成するために、本発明の第１の態様の表示装置は、複数の色成分の何れかに対応したカラーフィルタが形成され、奇数行に対して偶数行がずれた位置にデルタ配列された複数の表示画素と、行方向に延伸配設され前記各表示画素に接続された複数の走査線と、前記各走査線と交差するように配設された複数の信号線と、を有する表示パネルと、当該表示パネルの表示モードを、前記表示パネルの行数よりも少ない行数の第１の画像データを用いた画像を当該表示パネルに表示させる第１の表示モードに設定する設定手段と、前記設定手段により前記表示モードが第１の表示モードに設定された場合に、１水平期間内で、前記表示パネルの行数の前記第１の画像データの行数に対する比率に対応する所定数の互いに隣接する前記走査線に走査信号電圧を順次印加して、１水平期間内で前記所定数の行の前記表示画素を順次選択状態に設定する走査信号電圧印加手段と、前記設定手段により前記表示モードが第１の表示モードに設定された場合に、前記表示パネルの行数よりも少ない行数の前記第１の画像データが入力され、該画像データに基づく表示信号電圧を、前記信号線を介して前記選択状態に設定された前記所定数の行の前記各表示画素に印加して、前記各表示画素を表示状態とする表示信号印加手段と具備し、前記表示信号電圧印加手段は、前記第１の画像データを行毎に取り込む出力データラッチブロックと、奇数行の前記表示画素と偶数行の前記表示画素の何れか一方に前記出力データラッチブロックによって取り込まれた前記第１の画像データをそのまま前記表示画素がそれぞれ接続された前記信号線を介して出力するとともに、奇数行の前記表示画素と偶数行の前記表示画素の何れか他方に前記出力データラッチブロックによって取り込まれた前記第１の画像データにおいて行方向に隣接する２つの同色の表示画素に対応した前記第１の画像データの平均値に相当する第２の画像データを前記２つの同色の表示画素の間の位置に対応した表示画素に接続された前記信号線を介して出力する出力データ変換ブロックと、前記出力データ変換ブロックから出力された前記第１の画像データ及び第２の画像データに基づく表示信号電圧を、前記信号線を介して前記選択状態に設定された表示画素に印加するデジタルアナログ変換ブロックと有することを特徴とする。
【手続補正３】
【補正対象書類名】明細書
【補正対象項目名】０００８
【補正方法】変更
【補正の内容】
【０００８】
上記の目的を達成するために、本発明の第２の態様の表示駆動方法は、行方向に延伸配設された複数の走査線と、前記各走査線と交差するように延伸配設された複数の信号線と、前記走査線と前記信号線との各交点に対応した位置に配置され複数の色成分の何れかに対応したカラーフィルタが形成されてなる複数の表示画素と、を有し、前記複数の表示画素が奇数行の前記表示画素に対して偶数行の前記表示画素がずれた位置にデルタ配列された表示パネルを備えた表示装置を駆動するための表示駆動方法であって、前記表示装置の表示モードを、前記表示パネルの行数よりも少ない行数の第１の画像データを用いた画像を前記表示パネルに表示させる第１の表示モードに設定し、１水平期間内で前記表示パネルの行数の前記第１の画像データの行数に対する比率に対応する数の前記走査線に走査信号電圧を順次印加して、１水平期間内で、の前記表示画素を選択状態に設定し、前記表示パネルが有する表示画素の行数よりも少ない行数の前記第１の画像データを行毎に取り込み、前記取り込まれた前記第１の画像データを、奇数行の前記表示画素にはそのまま出力し、偶数行の前記表示画素には前記取り込まれた前記第１の画像データにおいて隣接する同色の画像データの平均値に相当する第２の画像データを出力し、前記出力された画像データに基づく表示信号電圧を、前記信号線を介して前記選択状態に設定された表示画素に印加することを特徴とする。